Podtech/llm-jp-corpus-v4-ja_patent huggingface dataset:
(57)【要約】      （修正有）【課題】釣糸に取り付けたまま、釣り場の光環境に合わせて外装色を自由に選択することができる棒浮きを提供する。【解決手段】本体と支持部からなる釣り用の棒浮きであって、本体１は目印部３と胴部４と透明カバー５で構成され、かつ、透明カバーの内側に設けた色板１０と色板を固定する略棒状の中子とを有している。釣り場の光環境に合わせて色板を取り替えることにより、浮き自体を交換することなく、外装色を自由に選択できる。【選択図】図１
0003198129.tif 000002
【実用新案登録請求の範囲】
【請求項１】
本体と支持部からなる釣り用の棒浮きであって、前記本体は目印部と胴部と透明カバーで構成され、かつ、前記透明カバーの内側に設けた色板と前記色板を固定する中子とを有し、釣り糸を前記支持部に係止して、釣り場の光環境に合わせて前記色板を取り替えることにより、浮き自体を交換することなく、外装色を自由に選択できることを特徴とする着せ替え式の釣り用の棒浮き。
【考案の詳細な説明】
【技術分野】
【０００１】  本考案は、魚釣りに用いる棒浮きと呼ばれるタイプの浮きに関する。
【背景技術】
【０００２】  棒浮きは、凪や内海のような場所で繊細な当たりを見るのに多用される。
他の種類の浮きと比べて視認性は良いが、天候や時間帯による釣り場の光環境により視認性が悪くなる場合がある。棒浮きの選定には、釣り場の光環境に合わせた様々な外装色の棒浮きを準備する必要があった。
【先行技術文献】
【特許文献】
【０００３】
【特許文献１】特開２００４−２０１５７５号  公報
【考案の概要】
【考案が解決しようとする課題】
【０００４】  天候や時間帯による釣り場の光環境により、棒浮きの視認性は変化する。
棒浮きは波の影響により上下動しやすいため、魚の当たりと誤認識することがある。
魚の当たりを見極めるためには、外装色の異なる別の棒浮きへ交換する必要があるが、その場合、棒浮き自体を一旦釣糸から取り外し、再度、別の棒浮きを釣糸に装着しなければならない。
この交換頻度が多くなるほど釣り場の光環境に合わせた様々な外装色の棒浮きを準備する必要があり、非効率的で且つ非経済的であるという課題を有していた。
上記課題を解決するものとして、浮きの大きさ・形状等を変更するのに交換浮き体を外殻体若しくは釣糸掴持体の外周に装着させる方式もあるが、仕掛け投入時や着水時の衝撃により交換浮き体等が外れる恐れがあり、信頼性にかけるものであった。（例えば特許文献１参照）
【課題を解決するための手段】
【０００５】  本考案は、本体と支持部からなる釣り用の棒浮きであって、本体は目印部と胴部と透明カバーで構成され、かつ、透明カバーの内側に設けた色板と色板を固定する中子とを有した構成としている。釣り糸を支持部に係止して、釣り場の光環境に合わせて色板を取り替えることにより、浮き自体を交換することなく、外装色を自由に選択できる。
【考案の効果】
【０００６】  本考案は、棒浮きを釣糸に取り付けたまま、釣り場の光環境に合わせて外装色を自由に選択することができる。
本考案では用意されている色板の交換のみで済むので、作業が効率的である。
外装色の異なる棒浮きを複数用意する必要がないため、経済的である。
【図面の簡単な説明】
【０００７】
【図１】  本考案の着せ替え式の釣り用の棒浮きの外観図
【図２】  本考案の着せ替え式の釣り用の棒浮きの組立構成を示す外観図
【図３】  本考案の着せ替え式の釣り用の棒浮きの本体の外観図
【図４】  本考案の着せ替え式の釣り用の棒浮きの支持部の外観図
【図５】  本考案の着せ替え式の釣り用の棒浮きの使用機能を示す外観図
【考案を実施するための形態】
【０００８】  以下、添付図面に従って一実施例を説明する。
本考案は本体１と支持部２からなる棒浮きであって、本体１は目印部３と胴部４と透明カバー５で構成され、透明カバー５の内側に設けた色板１０とそれを固定する中子９を有する。
本体１下部に設けられている雌ねじ７と支持部２上部に設けられている雄ねじ８により連結され、雌ねじ７と雄ねじ８との間に緩み止め用のゴム製パッキン１２を挟み込む。
本体１内部には略棒状の中子９と略帯状の色板１０を設けている。
支持部２上部に中子９と色板１０を固定する窪み１１を設けて、支持部２下部に釣り糸１４を係止する。
釣り場の光環境に合わせて、色板１０は様々な外装色のものが用意されている。
透明カバー５の内側に設けた色板１０を取り替えることにより、浮き自体を交換することなく、視認性の良い外装色を自由に選択できる。
中子９も様々な外装色のものを用意することにより、中子９のみでも使用できる。
さらに、色板１０と中子９の組合せ代替品として発光体を用いることにより、同様の効果を得ることができる。
また、透過性のある色板１０と発光体を組み合わせて使用することもできる。
【符号の説明】
【０００９】１    本体
２    支持部
３    目印部
４    胴部
５    透明カバー
６    釣り糸を係止する箇所
７    雌ねじ
８    雄ねじ
９    中子
１０  色板
１１  窪み
１２  ゴム製パッキン
１３  水面
１４  釣り糸
【図１】
0003198129.tif 000003
【図２】
0003198129.tif 000004
【図３】
0003198129.tif 000005
【図４】
0003198129.tif 000006
【図５】
0003198129.tif 000007
(57)【要約】      （修正有）【課題】帽子を被らない時の収納と外出先で帽子が必要な時に短時間で原型に戻り、すぐ被られるようになる折りたたみ式帽子を提供する。【解決手段】帽子のトップ１とツバ２の境界部に係止具となるゴム４とボタン５を有する帽子である。不使用時に縦方向に丸めるように折りたたんで、係止具で固定できる。【選択図】図１
0003198117.tif 000002
【実用新案登録請求の範囲】
【請求項１】
この考案は帽子のトップとツバの境界部に係止具を有する帽子であって不使用時に縦方向に丸めるように折りたたんで、前記係止具で固定できることを特徴とする折りたたみ式帽子
【考案の詳細な説明】
【技術分野】
【０００１】この考案は帽子を被らない時コンパクトにたため、バック等に収納できるという利便性を有する。
【背景技術】
【０００２】従来より折りたためる帽子はあったが、素早くボタンやホックで止めてたためることは出来なかった。
【考案の概要】
【考案が解決しようとする課題】
【０００３】帽子を被らない時、帽子を手に持って持ち運びしなければならなかった。
たたんだ状態からすぐに元に戻ってしまう特徴を有する。帽子を被った時、たたむ為のパーツ（ボタン・ゴム・ホック）が見えない様にスマートさを考慮した。
【課題を解決するための手段】
【０００４】帽子の飾りリボンの下にボタンやゴムひもを付け、飾りリボンを止めたホックを利用し、縦にたたんだ状態でボタンやホックで固定することで折りたたみを可能にした。
【考案の効果】
【０００５】帽子をコンパクトにたためバック等に収納できることで不便さを解消した。また、収納された帽子を外出先で簡単に被れるようにした。
【図面の簡単な説明】
【０００６】
【図１】ゴム紐とボタンでたためる帽子の左側面から見た原型図とゴム止めでたたんだ状態を示す図。１、トップと２、ツバの境界部にリボンを配置し、その下にボタンとゴムを付けている。
【図２】ホック止めでたためる帽子の左側面から見た原型図
【図３】たたんだ状態でホックを掛ける前の図
【図４】ホック止めでたたんだ状態を左側面から見た図
【考案を実施するための形態】
【０００７】リボンの裏側にボタンとゴムを付け、ゴムを反対のボタンに引っ掛ければコンパクトにたたむ事が出来る。
リボン止めの２つのスナップボタンを利用し、たたんだ状態でそのボタンで止めてコンパクトにして収納を可能にする。
【実施例】
【０００８】（図１）
縦にたたんだ状態でリボンの裏側の４のゴムを伸ばし、反対側のボタンに掛けた状態を示す
（図２）
ホック付きのリボン飾りの左側面の原型の図
（図３）
リボンを止めている４のホックを外し帽子を縦にたたむ
（図４）
４の雄ホックをたたんだ状態の４の雌ホックに止めた状態を示す
【産業上の利用可能性】
【０００９】帽子を被る人への利便性や快適性を与え、今後帽子を被りたいというファン層が広がることが期待出来る。
【符号の説明】
【００１０】（図１）
１、トップ部分
２、ツバ部分
３、飾りリボン
４、リボン裏にあるゴム
５、リボン裏にあるボタン
（図２）
１、トップ部分
２、ツバ部分
３、飾りリボン
５、リボン止めのホック雄部分と雌部分
（図３）
１、トップ部分
２、ツバ部分
３、飾りリボン
４、ホック雄・雌部分
（図４）
１、トップ部分
２、ツバ部分
３、飾りリボン
４、たたんだ状態の左部分の雄・雌ホック
５、たたんだ状態の右部分の雄・雌ホック
【図１】
0003198117.tif 000003
【図２】
0003198117.tif 000004
【図３】
0003198117.tif 000005
【図４】
0003198117.tif 000006
(57)【要約】      （修正有）【課題】撤去設置が容易な単柱式アメリカンフットボールゴールを提供する。【解決の手段】支柱１の下端と埋設管４の内管６の底に設けたキー１０を介して支柱と埋設管を着脱自在に接合する。砂等が多いグランドでは平行キーでは砂の噛み込みにより離脱が困難となるので、適切に選定された角度のＶ形キーを用いて、内管の底に設けたＶ形キー溝に接合する。【選択図】図３
0003198120.tif 000002
【実用新案登録請求の範囲】
【請求項１】
埋設管内に埋設管に接合させるとともに支柱下端とも接合するＶ型キーを設ける。両者をＶ形キーとＶ形キー溝で嵌合させたことを特徴とする単柱抜差し式アメリカンフットボウルゴール
【考案の詳細な説明】
【技術分野】
【０００１】本発明は単柱式アメリカンフットボールゴールの撤去設置を容易にするものである。
【背景技術】
【０００２】従来の単柱抜き差し式アメリカンフットボールゴールは堅固な足場を使って分解組立を行ってきたため非常に多くの時間を要した。
【考案の開示】
【考案が解決しようとする課題】現在日本ではクロスバーを左右に回転させてサイドポールを着脱する新方式が導入されつつある。これにより撤去設置が格段に容易になった。更なる容易化を実現するためには支柱にもアルミを採用する必要がある。従来の様にフランジ等を取り付ける方法では最大の負荷がかかる地際付近に溶接や穴あけ加工をすることは大きな強度の低下を招く。これを解決するには肉厚を大きくする必要があり重量がいたずらに大きくなってしまう。
【課題を解決する為の手段】
【０００４】埋設管内部に支柱の下部と埋設管との接合部を着脱可能に設ける。この接合部に適切に選定されたＶ形のキーを用いる。
【実用新案の効果】
【０００５】支柱と埋設管の接合を支柱下部で行う事で支柱の地際での強度低下を防ぐことが出来強度と軽量化が両立でき撤去設置が容易となった。
【０００６】キーがＶ形であるため砂等の噛み込みで抜けなくなる事がほとんどなくなり撤去設置が容易となった。
【０００７】支柱に設けたフランジによる結合はボルト締めが多く手間がかかっていたがＶ形キーによる接合は支柱を差し込むだけの為撤去設置が非常に容易となった。
【実施例１】
【０００８】埋設管４の中に内管６を設ける。埋設管フランジ５にはボルト穴がありそれに対応して裏面にナット８を取付ける。内管フランジ７には軸回転方向に要請される大きさの長穴を設ける。内管６の底には適切に選定された角度のＶ形キー溝が設けてある。同時に砂を落とすための穴も設ける。【０００９】支柱１の下端には適切に選定された平行キー溝を設ける。両キー溝に対応し上側が平行で下側が適切に選定されたＶ形のキー１０を用意する。このキー１０を平行キー溝側に個定する。両キー溝は支柱が要請される方向に設定する。【００１０】内管フランジ７と埋設管フランジ５を所用のボルト９で仮止めする。支柱１を内管６に差込みキー１０のＶ形を嵌合させる。続いてクロスバー２とサイドポール３を組み付ける。クロスバー２を所用の位置に設定しボルトを本締めする。【００１１】上記のキーを上下逆に設定することも本実用新案の範囲内である。
【図面の簡単な説明】
【００１３】
【図１】単柱抜き差し式アメリカンフットボールゴールの正面図である。
【図２】単柱抜き差し式アメリカンフットボールゴールの一部断面側面図である。
【図３】実施例１の本考案に関係する詳細平面断面図である。
【図４】実施例１の本考案に関係する詳細側面断面図である
【符号の説明】
【００１２】１．    支柱
２．    クロスバー
３．    サイドポール
４．    埋設管
５．    埋設管フランジ
６．    内管
７．    内管フランジ
８．    ナット
９．    ボルト
１０．  キー
１１．  基礎コンクリート
【図１】
0003198120.tif 000003
【図２】
0003198120.tif 000004
【図３】
0003198120.tif 000005
【図４】
0003198120.tif 000006
(57)【要約】      （修正有）【課題】足の運動棒に於いて操作のし易さと、加圧及びマッサージの範囲を拡げることに優れた足の運動棒を提供する。【解決手段】プラスチック又はゴムの素材からなる運動棒１であって、運動棒側面に疣２型の突起物を設け、運動棒が安定するように底を平らにし、運動棒の両端を丸くし、金型で一体化し、成形された構造からなることを特徴とする。【選択図】図１
0003198112.tif 000002
【実用新案登録請求の範囲】
【請求項１】
プラスチック又はゴムの素材からなる運動棒であって、運動棒側面に疣型の突起物を設け、運動棒が安定するように底部を平らにし、運動棒両端の角を丸くし、金型で一体化し成形された構造からなる足の運動棒。
【考案の詳細な説明】
【技術分野】
【０００１】  本考案は足（脚）の加圧及びマッサージをするための運動棒に関する。
【背景技術】
【０００２】  従来から青竹を足踏みして足首から足指までを加圧する竹踏み器はある。
【考案の概要】
【考案が解決しようとする課題】
【０００３】  従来の竹踏み器は、足首から足指までの加圧は出来るが、足首から脚まで加圧及びマッサージができる運動棒は見受けられない。
【課題を解決するための手段】
【０００４】  本考案は、プラスチック又はゴムの素材からなる運動棒であって、運動棒側面に疣型の突起物を設け、運動棒が安定するように底部を平らにし、運動棒両端の角を丸くし、金型で一体化し成形された構造からなる足の運動棒。を提供することで上記課題を解決するものである。
【考案の効果】
【０００５】  本考案に係る構造の運動棒を採用したことにより、従来の足だけの加圧だけでなく、正座し膝裏でこの運動棒を挟めば、ふくらはぎ、大腿後部まで加圧でき、床に座り脚を伸ばせば、ふくらはぎから太ももまでのマッサージもでき、広い範囲の運動ができる。
【図面の簡単な説明】
【０００６】
【図１】本考案に係る足の運動棒の簡略斜視図である。
【図２】本考案に係る足の運動棒の断面図である。
【図３】本考案に係る足の運動棒の側面図である。
【考案を実施するための形態】
【０００７】  図２が示すように運動棒の側面に疣型の突起物を設ける。
【０００８】  図２が示すように運動棒が安定するように底を平らにする。
【０００９】  図３が示すように運動棒の両端を丸くする。
【００１０】  金型で一体化し成形する。
【符号の説明】
【００１１】  １  運動棒  ２  疣  ３  底部
【図１】
0003198112.tif 000003
【図２】
0003198112.tif 000004
【図３】
0003198112.tif 000005
(57)【要約】      （修正有）【課題】樹脂製の包装袋に、野菜等の包装物を袋詰めする場合に、袋への投入作業をスムースに行い、作業能率を上げることができる袋詰めの介助シートを提供する。【解決手段】樹脂製の不織布１に、背板２を貼り付けた介助シートに包装物を事前に仮包みして、包装袋に投入すればスムースに行え、包装物投入後の介助シートの引き抜きも滑らかになり、作業能率が大幅に向上する。【選択図】図１
0003198143.tif 000002
【実用新案登録請求の範囲】
【請求項１】
樹脂製の包装紙に包装物をスムースに投入する場合に、事前に包装物を仮包みする不織布に、背板を貼り付ける構造でなる、袋詰めの介助シート。
【考案の詳細な説明】
【技術分野】
【０００１】近年、商品を樹脂製の包装袋に包む傾向が増えている。中でも農産物が顕著である。【０００２】この現象は、ポリプロピレン樹脂のフィルム（ＯＰＰ）の技術向上に負うところが大きい。即ち、そのフィルムの厚みが極薄でも強く、低コストを果たし、特に優れた透明性を実現した。これにより包装物を美しく見せる効果が評価されたのである。【０００３】農産物の包装は大半が手作業で行われている。少量多品種であるため、機械化が難しいからである。即ち、包装袋の口を指で開け、産品を手で投入し、袋の口を閉じるという手作業が行われている。本考案は、この作業工程の中の、産品投入の分野に関する。
【背景技術】
【０００４】農産物は少量多品種の代表ともいうべき産品である上に、形状が一様でなく、同一品種でも形・寸法が異なり、包装作業の機械化・自動化を難しくしている。【０００５】さらに農産物の包装作業を難しくする原因に、水濡れがある。この水分は野菜収穫後の水洗いによる。この水分が包装袋の内側に飛散し付着すると、産品を袋に接着させるように働き、産品のスムースな投入を妨げることになる。【０００６】この上、農産品の中、茄子は独特の性質が袋詰めを難しくする。この原因は茄子の表皮を覆うワックス分で、スムースな滑りを妨げるのである。
【考案の概要】
【考案が解決しようとする課題】
【０００７】包装物である農産物を樹脂製（ＯＰＰ）の包装袋にスムースに投入したい。これにより包装作業の全工程の能率向上を図りたい。【０００８】この解決方法としては、図２のように、産品を袋に投入する前に、古新聞紙や用済みの肥料袋（樹脂フィルム）を切り取り、産品を仮包みし、図４のように、包装袋に滑り込ませる方法が用いられている。この新聞紙やフィルムは投入を円滑にするための「介助シート」と呼ぶべきものである。【０００９】包装物を包装袋に投入し終えると、介助シートは袋外に引き抜き、次の包装作業に備えることになる。【００１０】古新聞紙などの介助シートにも難題がある。それは農産物特有の水濡れに合うと、機能を果たしにくくなるのである。【００１１】即ち、これまでの介助シートは、水濡れにあうと、水分が接着剤のように働き、シートは袋に密着して抜き差しならなくなるのである。この密着現象は、水で空気が押しのけられて起る。
【課題を解決するための手段】
【００１２】請求項１の考案は樹脂製の不織布を介助シートに用いることである（図５）。この不織布は方形で、風呂敷様のものである。不織布の表面は、微細な無数の凹凸を備えており、さらに布の表面は繊毛で被われている。この凹凸と繊毛が空気を抱え込むので、水分にあっても、介助シートの不織布は袋の内側に密着することはない。【００１３】さらに茄子の場合、表皮にワックスが析出し、不織布であっても、接触すると滑りにくい。つまり茄子は介助シートから袋に滑り落ちにくくなる。この解決は、袋詰めの前に予め不織布を水で濡らしておけば良いことを確認した。これは、水潤滑が行われたことを示している。【００１４】本考案の不織布を用いる介助シートは、厚みが薄いため、包装物に巻き付け（図３）易い利点があるが、他方、仮包みする際に、たくれたり、めくれたり、その方形を平たく維持しにくい難点もある。この解決のために本考案は、不織布に樹脂のフィルムよりなる背板（図５−２）を貼り付ける。【００１５】この背板は、樹脂フィルムを用い、その厚みは０．７ｍｍ前後、巾は３ｃｍほどである。背板は図５のように、不織布の中心部に、包装袋に投入する方向に方形の一辺に平行に貼り付ける。この背板を貼り付けることにより、部分的ではあるが不織布に腰が生まれ、不織布全体が平面をつくりやすくなる。これにより、次の包装袋の仮包み作業への移行が楽になる。また、物品を投入後、不織布を引き抜く作業において、この背板を掴めば便利である。
【本考案の効果】
【００１６】本考案になる介助シート（図１）の素材である不織布の厚みが薄いので、形が不揃いな農産物でも、巻きつけ易い利点がある。さらに水濡れの産品にも、スムースな滑りをもたらし、包装袋への投入作業を大幅に改善する。その上、これまで困難とされた茄子のスムースな滑りも実現した。しかも薄い不織布の扱いにくさも、樹脂フィルムの背板を用いることによって解決した。
【図面の簡単な説明】
【００１７】
【図１】図１は、本考案になる袋詰め用の介助シートの斜視図。
【図２】図２は、新聞紙等を介助シートとして用いた、投入物（野菜）を仮包みせんとする状態を示す。
【図３】図３は、包装物（ねぎ）を、介助シートで仮包みする図。
【図４】図４は、本考案になる介助シートで仮包みした包装物（ねぎ）を、包装袋に投入せんとする図。
【図５】図５は、本考案になる介助シートの平面図。
【考案を実施するための形態】
【００１８】本考案になる介助シートを構成する不織布と背板の素材は、ポリプロピレンやポリエステル樹脂製が良い。
【００１９】本考案になる介助シートの大きさ（図５）は、ほうれん草などに用いる汎用のもので、タテ４０ｃｍ、ヨコ３０ｃｍ程度、ねぎ用はヨコが７０ｃｍ程度である。背板（フィルム）は巾３ｃｍ〜４ｃｍ程である。
【００２０】本考案になる介助シートの不織布の厚みは、０．１〜０．３ｍｍ、背板の厚みは０．７ｍｍ前後が良い。
【符号の説明】
【００２１】１  …  不織布
２  …  背板（フィルム）
３  …  古新聞紙などを利用した介助シート
４  …  包装物（野菜）
５  …  樹脂製の包装紙（ＯＰＰ）
【図１】
0003198143.tif 000003
【図２】
0003198143.tif 000004
【図３】
0003198143.tif 000005
【図４】
0003198143.tif 000006
【図５】
0003198143.tif 000007
(57)【要約】      （修正有）【課題】予測式電子体温計においては実測機能を併せて持つので表示は予測値と実測値の二種類あり、予測の体温を表示する場合は予測であることを示すために予測マークが義務付けられており、安価に明確に予測マークを実現できる予測式電子体温計を提供する。【解決手段】予測式電子体温計において、体温表示が華氏でのみ利用される１００の位の「１」が上下二つの縦棒セグメント１、２で構成されている液晶表示を有する予測式電子体温計において、上下二つの縦棒セグメント１、２のいずれかだけを点灯させ、予測マークとする。【選択図】図２
0003198366.tif 000002
【実用新案登録請求の範囲】
【請求項１】
予測式電子体温計において体温表示が華氏でのみ利用される１００の位の「１」が上下二つの縦棒セグメントで構成されている液晶表示を有する予測式電子体温計において上下二つの縦棒セグメントのいずれかだけを点灯させ予測マークとした摂氏利用専用の予測式電子体温計。
【考案の詳細な説明】
【技術分野】
【０００１】本発明は電子体温計に関する。
【背景技術】
【０００２】従来家庭や病院で広く使用されている電子体温計には測温方式により実測式と予測式がある。身体の中の温度は平衡温度と呼ばれ、実測式でこの平衡温度を検温するには口中で５分、ワキで１０分必要と言われている。予測式は口中で５分、ワキで１０分を待つことなく、短時間（たとえば１０秒から３０秒）で平衡温度を予測して表示するものである。【０００３】予測式においては予測値が出た後もそのまま検温を続けると一定時間後に表示は実測値に変わるこのように表示値が予測値であったり、実測値であったりするので、予測値であることを明確に示す為にＪＩＳ  Ｔ１１４０においても予測値であることを使用者に知らしめる為、予測マークを義務付けている。当発明はこの予測マークに関するものである。
【考案の概要】
【考案が解決しようとする課題】
【０００４】予測式において必須である予測マークを安価で明確な表示で実現する。
【課題を解決するための手段】
【０００５】従来電子体温計をできるだけ安価に提供するために、体温表示方法には世界で摂氏利用圏と華氏利用圏があるが、液晶の表示部をコストダウンの為共通部品としている。日本は摂氏利用圏であるので、図１にある温度表示に１００の桁は不要である。共通部品を利用しているので現実にハードはある。１００の位の１を表示する上半分または下半分だけを点灯させ予測マークとした。図２の▲１▼、▲２▼のとおり。
【考案の効果】
【０００６】一切のコストアップをせずに予測マークを実現できた。
【図面の簡単な説明】
【０００７】
【図１】予測式電子体温計の全体図を示す。
【考案を実施するための形態】
【０００８】図１の▲１▼は予測式電子体温計の全体図を示す。全体図は表示部の予測マークの点灯を除くと実測式と同じである。つまり当発明の予測式も従来の実測式もハード構成は同じである。この予測式電子体温計の使い方は電源オンし、口またはワキで検温を開始すると約２５秒で予測成立した事をブザーで知らされ、使用者は体温計を取り出して予測表示を読む、これは予測値であるから図２の▲２▼を点灯させ予測値であることを明確にしている。その後電源をオフしケースに収納する。
【０００９】厳密に平衡温度を実測する必要がある場合は使用者は予測成立のブザーが鳴っても体温計を動かさずに検温を継続する。予測表示値は一定時間継続すると、予測表示は消灯し実測表示に切り替わる。以後はこの予測式電子体温計は実測式として機能し口中で５分、ワキで１０分の平衡温に到達するので使用者は厳密に平衡温度を知ることができる。
予測表示温度は実測した平衡温度のプラスマイナス０．２度の範囲内にあるので通常は予測検温のみで体温を知る事ができる。
【実施例】
【００１０】図１の体温計表示部は図２のハード構成でできている。図１の▲３▼表示部は例として予測値の３６．５℃を示している。図２の▲２▼を予測マークとして実施している。
【産業上の利用可能性】
【００１２】当発明品を２０１５年４月から日本市場で販売する。
【符号の説明】
【００１３】▲１▼  予測式電子体温計
▲２▼  電源スイッチ
▲３▼  表示部
▲４▼  測温部【００１４】
【図２】
表示部のハード構成を示す。
【符号の説明】
【００１５】▲１▼  華氏の電子体温計において１００の位の１の上部を示す。
▲２▼  華氏の電子体温計において１００の位の１の下部を示す。
▲３▼  摂氏の電子体温計において体温を示す。
▲４▼  「℃」または「°Ｆ」を示す。
▲５▼  前回測定のメモリ値を示す。
▲６▼  電池消耗時に点灯。
【図１】
0003198366.tif 000003
【図２】
0003198366.tif 000004
【手続補正書】
【提出日】平成27年4月30日(2015.4.30)
【手続補正１】
【補正対象書類名】明細書
【補正対象項目名】０００７
【補正方法】変更
【補正の内容】
【０００７】
【図１】予測式電子体温計の全体図を示す。
【図２】表示部のハード構成を示す。
(57)【要約】      （修正有）【課題】お湯を再利用できる、浴槽水浄化装置を提供する。【解決手段】ゴミ取りカップ８と、浴槽から湯を吸い上げ、ジャバラホース３を介してゴミとりカップに落とす水中ポンプと、ゴミ取りカップの排水を吐き出す吐き出し口１０とを有する浴槽水浄化装置であって、ゴミ取りカップの中に水切りシート（ゴミ取りネット９）がセットされている。吐き出し口は打たせ湯水路であることが好ましい。【選択図】図１
0003198362.tif 000002
【実用新案登録請求の範囲】
【請求項１】
１．家庭用取付け浄化装置である。
２．浄化排水を健康思考に利用したものである。
【請求項２】
１．浴槽から水中ポンプで、お湯を吸い上げゴミ取りカップに落とす、カップの中には浄化水切りシートがセットされています。
浄化ゴミ取り効果が発生します。
２．二次排水をリフレシュ効果のある、打たせ湯水路に放出する。
【考案の詳細な説明】
【技術分野】
【００１】この発明は浴槽のお湯を清潔にして、お湯を再利用する、家庭用取付け浄化装置に関するものである。
【背景技術】
【００２】従来は大型ゴミ取り装置とか、ゴミ取りネットで取るとか、又は水を全部交換する。この考案は必要に応じて取り付け、取りはずすことができます。
【先行技術文献】
【特許文献】
【考案の概要】
【考案が解決しょうとする課題】
【００３】一般家庭の浴槽で止め湯をした場合、浴槽の下にヌルヌル感が発生する。
髪の毛とゴミ、ヌルヌル感を解消するには。
本考案は、水切り浄化シート方式で欠点を解決した。
【課題を解決するための手段】
【００４】浴槽水をポンプで吸い上げ、水切りシートで、お湯を浄化洗浄する。
本考案は、ポンプ吸い上げ落下方式を利用したものである。
【考案の効果】
【００５】浄化装置の落差で、不純物が直接目でわかる。
浴槽の水の汚れも少なくなり、エコ、節水にも貢献できた。
止め湯は、人間の体にも優しく、お湯がとてもまろやかです。
打たせ湯は、お湯の流れる音はリラックス効果抜群です。
どんな浴槽にも取りつけられ、とても便利です。
【図面の簡単な説明】
【００６】
【図１】断面詳細図    １〜１１  各所説明
【図２】完成試作外観図と各所部位
【考案を実施するための形態】
【００７】本考案の実施結果は、試作品を実際使用して、水中ポンプから吸い上げ洗浄効果は確実、打たせ湯効果も抜群です。
本考案は、一次排水と二次排水を利用した、構造となってます。
【図１】
0003198362.tif 000003
【図２】
0003198362.tif 000004
【手続補正書】
【提出日】平成27年4月3日(2015.4.3)
【手続補正１】
【補正対象書類名】実用新案登録請求の範囲
【補正対象項目名】全文
【補正方法】変更
【補正の内容】
【実用新案登録請求の範囲】
【請求項１】
ゴミ取りカップと、
浴槽から湯を吸い上げ、当核ゴミとりカップに落とす水中ポンプと、
当核ゴミ取りカップの排水を吐き出す吐き出し口と
を有する浴槽水浄化装置であって、
当核ゴミ取りカップの中に水切りシートがセットされていること
を特微とする浴槽水浄化装置。
【請求項２】
請求項１に記載されている浴槽水浄化装置であって、
前記吐き出し口は打たせ湯水路であること
を特微とする浴槽水浄化装置。
(57)【要約】      （修正有）【課題】小型・軽量・電池内蔵型で、持ち運びと、取り出し・収納と、取り付け・取り外し、等が容易で、また、視認性が高く、更に電池の消耗度が低く長寿命動作が可能な停止表示点滅灯を提供する。【解決手段】点滅動作で後方車両からの視認性を高め、吸着磐での装着容易性を高めて風雨時の装着作業時間の短縮を図り、二次的危険を無くし、電池内蔵で自動車からの電源供給や、ケーブルの引き回しを解消するために、点滅動作を行うＬＥＤ３、ＬＥＤの点滅機能をもつ回路構築のプリント基板５、回路構築を作動させる電源スイッチ２、回路構築の作動用電源、全体を収納する本体１、本体を装着固定する吸着磐、を備える。【選択図】図１
0003198365.tif 000002
【実用新案登録請求の範囲】
【請求項１】
本考案は、点滅動作で後方車両からの視認性を高める事、吸着磐での装着容易性を高めて風雨時の装着作業時間の短縮を図り、二次的危険を無くする事、電池内蔵で自動車からの電源供給や、ケーブルの引き回しを解消する事を手段として、点滅動作を行う赤色LEDと（図1の３）、前記の赤色LEDの点滅機能をもつ回路構築と(図1の５)、前記の回路構築を動作させる電源スイッチと(図1の2)、前記の回路構築の作動用電源部と(図2の８)、前記の全体を収納する本体と(図1の1)、前記の本体を装着固定する吸着磐と(図2の6)、を備える停止表示点滅灯。
【考案の詳細な説明】
【技術分野】
【０００１】
道路交通法に定められている、故障時に自動車の後方に設置して、後方車から視認出来る停止表示器材に関するものである。
【０００２】
従来、高速自動車道路に於いて、自動車の故障等で駐停車の時は、三角形の停止表示板や、停止表示灯（回転灯）が使用されているが、設置固定方法や、電源供給方法に関するものである。
【０００３】
三角形の停止表示板は、組立と設置に時間を要し、且つ強風時の設置は困難を要した。トランク蓋の内側に固定して使用時はトランクを開けて置く事も出来るが雨の時の対策は困難である。また停止表示灯に於いては、電源ケーブルの引き回しと自動車内からの電源供給に依るものである為、自動車のバッテリー及び配線類の損傷の場合は使用不可能に成る事に関するものである。
【背景技術】
【０００４】
本考案は、小型、軽量、電池内蔵型で吸着磐を備えている為、自動車の後部窓か車体に取り付けが簡単で、雨・風の時にも可能であるが、車内の後部窓に取り付ける事に依り盗難から守る事も考慮出来る停止表示点滅灯である。
【考案の概要】
【考案が解決しようとする課題】
【０００５】
従来の三角形の停止表示板に於いては、組立・設置及び風雨時の固定、及び停止表示灯に於いては、電源ケーブル処理・電源供給及び風雨時の設置や固定、を解決する事を課題とする。
【課題を解決するための手段】
【０００６】
本考案の停止表示点滅灯は、吸着磐で固定する為、非常に簡単で設置時間が短く、風雨等に対する容易性を手段とする。また電源内蔵の為電源ケーブルの引き回しや自動車からの電源供給の必要が無い事を手段とする。
【考案の効果】
【０００７】
本考案の停止表示点滅灯は、装着・取扱いの容易性が高い、点滅動作に依る後方車両からの視認性が高い、LEDの点滅作動を採用して、電源の消費を少なくする事で長時間の使用が可能などの効果がある。
また、この装着の容易に依る短縮時間と、後方からの視認性の高さと、風雨時の装着作業性の良さに依る後方車からの2次的事故等の危険から身を守る事が出来る効果がある。
【図面の簡単な説明】
【０００８】
【図１】本考案の表外観図である。
【図２】本考案の裏外観図である。
【考案を実施するための形態】
【０００９】
高速自動車道路に於いて事故等に遭遇したとき、本考案の停止表示点滅灯を自動車の後部窓か後方ボデーの高い部所（後方から確認しやすい所）に吸着磐で装着して電源スイッチを「ON」にする事で素早く避難が出来る。
この装置は、点滅作動に依る後続車両からの視認性対策と避難性対策に効果を発揮する特徴を持っている。
【実施例１】
【００１０】
以下に本考案に係わる停止表示点滅灯について説明する。
図１は表外観図面である。
図１に於いて、１は本体、２は電源スイッチ、３はLED,４はフロント銘板、５は回路構築したプリント基板を収納。
【００１１】
図２は裏外観図面である。
図２に於いて、６は吸着磐、７は電池蓋、８は電池部。
【産業上の利用可能性】
【００１２】
本考案の停止表示点滅灯は、一般道路に於いての事故時、パンクタイヤの交換時、荷物の積み降ろし作業時、短時間の駐停車時、などに利用出来る装着性の容易を可能にした。
【符号の説明】
【００１３】
１  停止表示点滅灯本体
２  電源スイッチ
３  点滅用超高輝度LED
４  フロント銘板
５  点滅回路構築のプリント基板
６  吸着磐
７  電池蓋
８  電池の収納
【図１】
0003198365.tif 000003
【図２】
0003198365.tif 000004
【手続補正書】
【提出日】平成27年4月17日(2015.4.17)
【手続補正１】
【補正対象書類名】実用新案登録請求の範囲
【補正対象項目名】全文
【補正方法】変更
【補正の内容】
【実用新案登録請求の範囲】
【請求項１】
点滅動作で後方車両からの視認性を高める事、吸着磐での装着容易性を高めて風雨時の装着作業時間の短縮を図り、二次的危険を無くする事、電池内蔵で自動車からの電源供給や、ケーブルの引き回しを解消する事を手段として、点滅動作を行うLED、LEDの点滅機能をもつ回路構築、回路構築を作動させる電源スイッチ、回路構築の作動用電源、全体を収納する本体、本体を装着固定する吸着磐、を備える停止表示点滅灯。
(57)【要約】      （修正有）【課題】農村で使用されているトラクターを非常用照明として活用するため、現在、トラクター用として、夜間に使用されている照明（ライト）部分の電源を活用する非常照明装置を提供する。【解決手段】トラクターの照明部のバッテリー側に接続するコネクター部２と、当該コネクター部２が取り付けられた電源コード部３と、当該電源コード部３の反対側に取り付けられた照明側に接続するコネクター部４と、照明装置部６と、当該照明装置部６に取り付けられた取っ手部７とを有し、当該照明側に接続するコネクター部４は、当該照明装置部６のコネクター部５に合うものである。【選択図】図１
0003198363.tif 000002
【実用新案登録請求の範囲】
【請求項１】
既存のトラクターの照明部（バッテリー）側に接続するコネクター部と、電源コード部と照明側に接続するコネクター部照明装置部及び取っ手部で構成されます。これら非常電源装置は、通常は、取り外して保管しておいて、地震等の災害など、必要により、随時取り付けて活用できる特徴を有する「トラクターを活用した非常照明装置」一式です。
【考案の詳細な説明】
【技術分野】
【０００１】  この考案は、現在、使用されているトラクターの照明用コネクターに、新たに作成する照明装置のコネクターを接続して活用する非常用照明装置に関するものです。
【背景技術】
【０００２】  現在、市販されている発動発電機による非常用照明装置は、高価であり、さらには、使用頻度からみても、各世帯で保有しているのは少ない現状にあります。このような現状の中で、農村地域においては、各世帯で、農作業用としてトラクターを保有しています。
さらに、農村地域では、基本的には、トラクターの燃料として、軽油が使用されており、消防法における規制の範囲ないで、保管しているのが現状にあります。【０００３】  また、既存のトラクターの照明（ライト）をそのまま使用すると、前方のみの一方向照射となることから、トラクターの照明部分・配線部分・コネクター部分を新たに、作成して、トラクターの照明（ライト）側のコネクター部分を活用し、差し替えることにより、建物内や人が集まるところにセットして上から横から、下から、必要とするところに、照射することができます。【０００４】  このことから、今後予想される災害発生時に、農村地域において各世帯で保有されているトラクターと、農村地域において保管されている軽油を有効に使用することにより、非常用照明として活用することが、非常に有効な方法となります。
【考案の概要】
【考案が解決しようとする課題】
【０００５】  農村で使用されているトラクターを非常用照明として、活用するためには、現在、トラクター用として、夜間に使用されている照明（ライト）部分の電源を活用するが必要となります。【０００６】  非常用照明装置として活用するためには、トラクターの照明（ライト）用配線のコネクター部分から先については、新たに作成する必要があります。
【課題を解決するための手段】
【０００７】  課題を解決するために、照明部・配線部・コネクター部を新たに作成する必要となります。照明部分については、現在使用しているトラクターの照明（ライト）部分叉は、同様の照明（ライト）を活用します。さらに、照明部分の一部に、とっ手を付けます。【０００８】  配線部分については、トラクター用の電源コード（２０メートル）を新たに作成するするとともに、コネクター部についても同様とします。
【考案の効果】
【０００９】  トラクターを所有する世帯が多い農村地域においては、既存のトラクターを活用した災害時の非常用照明装置として、建物内や人が集まるところに、上から横から下から、照射することができ、非常照明装置として、有効に活用することができます。
前述のとおり、トラクターを所有する世帯では、トラクターの燃料として、保有していることから、新たに、高価である非常用電源装置（一般的には、発動発電機）を購入しなくても良いことになります。【００１０】  さらには、一般的に市販されている発動発電機の燃料は、ガソリンであり、災害時用としての長期間保存が難しいとされています。また、現実としては、災害時においては、車が優先され発動発電機用としては、入手しにくい状況があります。【００１１】  このことから、農村地域の実態に合った方法より、非常用照明を確保するために、「トラクターを活用した非常照明装置」一式を考案するものです。
【図面の簡単な説明】
【００１２】
【図１】本考案のトラクターを活用した非常照明装置を示した全体図です。
【考案を実施するための形態】
【００１３】  現在、使用されているトラクターの照明用コネクターに、新たに作成する照明装置のコネクターを接続し、地震などの災害時に非常照明として活用するものです。
【実施例】
【００１４】  以下、本考案の実施例を図面に基づいて説明します。
本考案は、図１に示すように、既存のトラクターを活用した非常電源装置であります。
１は、既存のトラクターの照明用コネクター部２は、電源コードバッテリー側コネクター部及び３は、電源コード部４は、電源コード照明側コネクター部５は、照明装置のコネクター部６は、照明装置部７は、取っ手部で構成されます。これら非常電源装置は、通常は、取り外して保管しておいて、地震等の災害が発生したときに、随時、取り付けて活用するものです。
１  電源コードについて【００１５】  図１に示すように、３の電源コードに１の既存のトラクターのコネクターに合う２のコネクターを取り付けます。さらに、３の電源コードの反対側には、５の照明装置のコネクターに合う４のコネクターを取り付けます。
２  照明装置部について【００１６】  図１に示すように、既存のトラクターの発電量等にあった５の照明装置を使用します。
３  取っ手部について【００１７】  図１に示すように、７の照明部に持ち運びしやすいように、照明装置の一部に６の手を取り付けます。
【符号の説明】
【００１８】１  既存のトラクターの照明用コネクター部
２  電源コードバッテリー側コネクター部
３  電源コード部
４  電源コード照明側コネクター部
５  照明装置のコネクター部
６  照明装置部
７  取っ手部
【図１】
0003198363.tif 000003
【手続補正書】
【提出日】平成27年4月2日(2015.4.2)
【手続補正１】
【補正対象書類名】実用新案登録請求の範囲
【補正対象項目名】請求項１
【補正方法】変更
【補正の内容】
【請求項１】
トラクターの照明部のバッテリー側に接続するコネクター部と、当該コネクター部が取り付けられた電源コード部と、当該電源コード部の反対側に取り付けられた照明側に接続するコネクター部と、照明装置部と、当該照明装置部に取り付けられた取っ手部とを有し、当該照明側に接続するコネクター部は、当該照明装置部のコネクター部に合うものである、非常照明装置。
(57)【要約】      （修正有）【課題】傘骨の強度を損ねることなく、摩擦による取付糸切れを防ぐと共に、取付糸の取付作業が容易となる折り畳み傘の生地と傘骨との結合構造を提供する。【解決手段】中棒を有し、中棒に下ろくろを装着していて、かつ下ろくろに第１受骨構成品が枢接され、第１受骨構成品の末端部に第２親骨４を枢接し、第２親骨の末端部に第３親骨５を枢接し、第１受骨構成品と、第２親骨と、第３親骨は傘生地６によって被せられ、第２親骨に含まれ第３親骨寄りの側面に位置する突合せ具４１に固定溝４１１を凹設し、取付糸６１を固定溝に巡らせて傘生地を固定する。【選択図】図３
0003198387.tif 000002
【実用新案登録請求の範囲】
【請求項１】
折り畳み傘の生地と傘骨との結合構造であって、中棒と、前記中棒に装着する下ろくろと、前記下ろくろに枢接する第１傘骨と、前記第１受骨構成品の末端部に枢接する第２親骨と、前記第２親骨の末端に枢接する第３親骨と、前記第１受骨構成品と、前記第２親骨と、前記第３親骨に被せる傘生地とを含む、
前記第２親骨と前記第３親骨寄りの側面に固定溝を凹設し、前記傘生地にて取付糸を設け、前記取付糸を固定溝に巡らすことを特徴とする、折り畳み傘の生地と傘骨との結合構造。
【請求項２】
前記第２親骨と、前記第３親骨寄りの側面に輪状の２つの突起リブを凸設し、前記固定溝を前記２つの突起リブの間に形成することを特徴とする、請求項１記載の折り畳み傘の生地と傘骨との結合構造。
【請求項３】
前記第２親骨は突合せ具と、第２元親骨とを含む、突合せ具を前記第２元親骨の一側につなぎ、前記突合せ具が第３親骨寄りの側面に位置していて、かつ前記突合せ具の表面に、輪状の２つの突起リブを凸設され、前記固定溝を２つの突起リブの間に形成することを特徴とする、請求項１記載の折り畳み傘の生地と傘骨との結合構造。
【考案の詳細な説明】
【技術分野】
【０００１】
本考案は、特に傘骨に設けられた固定溝によって、傘生地の取付糸を固定溝に取り付ける結合構造の折り畳み傘の生地と傘骨との結合構造に関する。
【背景技術】
【０００２】
現在の傘具は中棒と、中棒に取り付ける上ろくろと、滑り移動自在に中棒に装着する下ろくろと、上ろくろと下ろくろに枢接する複数の傘骨と、傘骨につなぐ傘生地と、を含む。そのうち、傘生地と傘骨とのつなぎ方式は、傘骨にとおり穴を開けて、取付糸（ほとんどが綿糸）をとおり穴に通して傘生地に縫合する。
【考案の概要】
【考案が解決しようとする課題】
【０００３】
しかし、この種の方法には以下の欠点が残されている。
イ、 傘骨にとおり穴を開けるため、傘骨の構造を壊してしまい、傘骨がとおり穴の場所に折損問題を引き起こす。
ロ、 傘骨が相当に細いため、とおり穴をそれより小さく開けなければならない。よって、取付糸をとおり穴に取り付ける（縛る）ときの困難性が高い。
ハ、 傘骨に開けられたとおり穴の縁部が鋭く、傘具を開くときに取付糸がとおり穴の縁部との摩擦が大きいため、取付糸切れの恐れがある。
【図面の簡単な説明】
【０００４】
【図１】本考案の概略図である。
【図２】本考の主な構成品の側面図である。
【図３】本考の傘生地と第２元親骨との結合を示す側面図である。
【考案を実施するための形態】
【０００５】
以下、添付図面を参照して本考案の実施の形態を詳細に説明する。
【実施例】
【０００６】
図１ないし３を参照する。本考案の折り畳み傘は、中棒１と、中棒１の上部端設ける上ろくろ７と、中棒１に装着する下ろくろ２と、下ろくろ２に枢接する第１受骨構成品３と、第１受骨構成品３の末端に枢接する第２親骨４と、第２親骨４の末端に枢接する第３親骨５と、第１受骨構成品３と第２親骨４と第３親骨５に傘生地６を被せてなる。
【０００７】
前述した第１受骨構成品３は、第１受骨３１と補助骨３２と第１だぼ３３と連動具３４とを含む。第１受骨３１の一端を下ろくろ２に枢接し、第１だぼ３３を第１受骨３１が下ろくろ２から離れる他端に枢接していて、補助骨３２の一端を上ろくろ７に枢接し、他端を第１受骨３１の両端の間に枢接する。連動具３４の一端を補助骨３２の両端の間に枢接し、他端を第１だぼ３３に枢接する。
【０００８】
前記第２親骨４は、突合せ具４１と第２元親骨４２と第２だぼ４３とを含む。第２元親骨４２を突合せ具４１の一端につなぎ、第２だぼ４３を突合せ具４１が第２元親骨４２から離れる他端に枢接し、かつ第２元親骨４２を突合せ具４１から離れる他端を第１受骨構成品３の第１だぼ３３に枢接することにより、突合せ具４１を第３親骨５寄りの側面に位置する。さらに、突合せ具４１の表面に輪状の２つの突起リブ４１２を間隔置きに凸設し、２つの突起リブ４１２の間に固定溝４１１を凹設する。第２だぼ４３と、第１受骨構成品３の第１受骨３１との間に補助ワイヤ８を設け、補助ワイヤ８の両端をそれぞれ第２だぼ４３と、第１受骨構成品３の第１受骨３１に枢接する。
【０００９】
第３親骨５は、第３元親骨５１と第３元親骨５１の一端につなぐ露先５２とを含む。さらに、第３元親骨５１は露先５２から離れる他端を第２親骨４の第２だぼ４３に枢接されている。
【００１０】
前述傘生地６を中棒１の上部端と第３親骨５の露先５２に取り付けていて、かつ傘生地６の底面に取付糸６１を設け、取付糸６１を第２親骨４の固定溝４１１に巡らせて固定する。
【００１１】
これにより、本考案は公知技術の不足と欠点が解決されるのみならず、効果も増大できる。主な技術手段として、第２親骨４は突合せ具４１の表面に輪状の２つの突起リブ４１２を間隔置きに凸設し、２つの突起リブ４１２の間に固定溝４１１を凹設し、傘生地６の取付糸６１が第２親骨４の固定溝４１１を巡らして取り付け、使用者による取付糸６１の取り付け作業に便利を提供できる。さらに、本考案の固定溝４１１は２つの突起リブ４１２の間に開けられているため、第２親骨４の構造を壊されない。２つの突起リブ４１２によって、第２親骨４の強度を強化し、第２親骨４の折損を防げる。さらに、公知技術に対して、取付糸６１は直接に第２親骨４の突合せ具４１の表面に巡らしており、取付糸６１と突合せ具４１に不要な摩擦を引き起こすことなく、取付糸６１の糸切れを防ぐことができる。
【符号の説明】
【００１２】
１          中棒
２          下ろくろ
３          第１受骨構成品
３１        第１受骨
３２        補助骨
３３        第１だぼ
３４        連動具
４          第２親骨
４１        突合せ具
４１１      固定溝
４１２      突起リブ
４２        第２元親骨
４３        第２だぼ
５          第１親骨
５１        第３元親骨
５２        露先
６          傘生地
６１        取付糸
７          上ろくろ
８          補助ワイヤ
【図１】
0003198387.tif 000003
【図２】
0003198387.tif 000004
【図３】
0003198387.tif 000005
(57)【要約】      （修正有）【課題】天星尺吉寸法によって定められた形状を有し、製造管理が容易な墓石を提供する。【解決手段】墓石を構成する各部材１〜５、８〜１１の外形寸法は、天星尺吉寸法によって定められた寸法で製造する。また、四つ石４、５の組合後周囲寸法及びそれに上架される下台３、上台２、棹１で構成される墓石全体高さ寸法も天星尺吉寸法範囲内に収まるものとする。【選択図】図１
0003198342.tif 000002
【実用新案登録請求の範囲】
【請求項１】
横８４．０ｃｍ、奥行８７．７ｃｍ、高１５．０ｃｍ、の四角柱形状の四つ石を置き、その上部に横５７．７ｃｍ、奥行５７．７ｃｍ、高３１．３ｃｍ、の四角柱形状の下台を置き、さらにその上部に横４０．４ｃｍ、奥行４０．４ｃｍ、高２９．８ｃｍの四角柱形状の上台を置き、またさらにその上部に横２５．７ｃｍ、奥行２５．７ｃｍ、高６９．５ｃｍの四角柱形状の棹を配置したことを特徴とする墓石。
【請求項２】
前記四つ石の横を９０．０ｃｍ、奥行１０２．５ｃｍ、高１６．６ｃｍで構成し、前記下台を横６０．５ｃｍ、奥行６０．５ｃｍ、高３２．６ｃｍ、で構成し、前記上台を横４２．３ｃｍ、奥行４２．３ｃｍ、高３１．６ｃｍで構成し、前記棹を横２７．４ｃｍ、奥行２７．４ｃｍ、高７５．９ｃｍで構成したことを特徴とする請求項１に記載の墓石。
【請求項３】
前記四つ石の横を１００．９ｃｍ、奥行１０４．５ｃｍ、高１８．１ｃｍで構成し、前記下台を横６９．４ｃｍ、奥行６９．４ｃｍ、高３２．６ｃｍ、で構成し、前記上台を横４６．３ｃｍ、奥行４６．３ｃｍ、高３１．８ｃｍで構成し、前記棹を横３０．４ｃｍ、奥行３０．４ｃｍ、高７６．３ｃｍで構成したことを特徴とする請求項１に記載の墓石。
【考案の詳細な説明】
【技術分野】
【０００１】本考案は、古から伝承されている天星尺吉寸法を用いて製造された墓石に関するものである。
【背景技術】
【０００２】従来、墓石を製造するための寸法は、基本となる竿石の横幅を基準とし、慣習によって決定されてきた。従って、墓石を形成する各部材に寸法の統一基準は無かった。
【考案の概要】
【考案が解決しようとする課題】
【０００５】現在一般的に製造されている墓石は、寸法の統一基準が無いために、同様の大きさ、つまりは呼称寸法によって同形態と判断される墓石であっても、個々の墓石寸法及び容積については違いがあった。
【課題を解決するための手段】
【０００６】天星尺によって定められた吉寸法にて墓石を製造することで、同形態である墓石は統一基準で製造されるため、個々の墓石は同一の形状とすることができ、従って製品のバラツキを解消することができる。
【考案の効果】
【０００７】上記のように、墓石の形状を統一することができれば、製造管理が容易になる。また、コンピューターによる販売管理やコスト管理も、同一形態墓石は製品の一元管理が可能となる。以上により、製造上や管理上の間違いを減少することができる。且つ、天星尺は吉凶を区別する寸法であるため、吉寸法で墓石製造することで、より、購入者の購買意欲を増進することに繋げることができる。
【図面の簡単な説明】
【０００８】
【図１】天星尺吉寸法範囲内で定められた寸法によって製造される墓石の一実施例を示す鳥瞰図である。
【図２】天星尺吉寸法範囲内で定められた寸法によって製造される墓石の一実施例を示す正面図である。
【図３】天星尺吉寸法範囲内で定められた寸法によって製造される墓石の一実施例を示す平面図である。
【考案を実施するための形態】
【０００９】墓石は、１〜１１までの各部材で構成される。各部材は、天星尺吉寸法範囲内でさだめられた寸法によって製造される。また、４〜７部材で構成される台の組合後周囲寸方及その台とそれに上架される１〜３部材によって構成される墓石全体高さ寸法も天星尺吉寸法範囲内に収まるものとする。
【符号の説明】
【００１０】１    竿
２    上台
３    下台
４    四つ石前
５    四つ石横右
６    四つ石横左
７    四つ石後
８    格子扉付蝋燭線香縦収納供物台
９    水鉢
１０  花立右
１１  花立左
【図１】
0003198342.tif 000003
【図２】
0003198342.tif 000004
【図３】
0003198342.tif 000005
【手続補正書】
【提出日】平成27年3月31日(2015.3.31)
【手続補正１】
【補正対象書類名】実用新案登録請求の範囲
【補正対象項目名】全文
【補正方法】変更
【補正の内容】
【実用新案登録請求の範囲】
【請求項１】
横８４．０ｃｍ、奥行８７．７ｃｍ、高１５．０ｃｍ、の四角柱形状の四つ石を置き、その上部に横５７．７ｃｍ、奥行５７．７ｃｍ、高３１．３ｃｍ、の四角柱形状の下台を置き、さらにその上部に横４０．４ｃｍ、奥行４０．４ｃｍ、高２９．８ｃｍの四角柱形状の上台を置き、またさらにその上部に横２５．７ｃｍ、奧行２５．７ｃｍ、高６９．５ｃｍの四角柱形状の棹を配置したことを特徴とする墓石。
【請求項２】
横９０．０ｃｍ、奥行１０２．５ｃｍ、高１６．６ｃｍの四角柱形状の四つ石を置き、その上部に横６０．５ｃｍ、奥行６０．５ｃｍ、高３２．６ｃｍの四角柱形状の下台を置き、さらにその上部に横４２．３ｃｍ、奥行４２．３ｃｍ、高３１．６ｃｍの四角柱形状の上台を置き、またさらにその上部に横２７．４ｃｍ、奧行２７．４ｃｍ、高７５．９ｃｍの四角柱形状の棹を配置したことを特徴とする墓石。
【請求項３】
横１００．９ｃｍ、奥行１０４．５ｃｍ、高１８．１ｃｍの四角柱形状の四つ石を置き、その上部に横６９．４ｃｍ、奥行６９．４ｃｍ、高３２．６ｃｍの四角柱形状の下台を置き、さらにその上部に横４６．３ｃｍ、奥行４６．３ｃｍ、高３１．８ｃｍの四角柱形状の上台を置き、またさらにその上部に横３０．４ｃｍ、奥行３０．４ｃｍ、高７６．３ｃｍの四角柱形状の棹を配置したことを特徴とする墓石。